(57)【要約】【課題】  本発明は、ゴースト光を防ぎながらかつ摩擦摺動に有害なガラスファイバーなどの添加剤を廃止することを目的とする。【解決手段】  そのため、本発明では、フィルターディスクにおけるフィルターを受けるストレート面の形状を、凹凸形状にした。【選択図】  図１
2005173122.tif 000002
【特許請求の範囲】
【請求項１】
撮影レンズからの入射光束を複数のプリズムにより複数の色に分解を行う色分解プリズムにおいて、構成される色温度、濃度を選択するフィルターを複数枚設けたフィルターディスクのフィルタ−挿入部に凹凸状の面を設けたことを特徴とするフィルターディスク。
【請求項２】
該フィルターディスクのフィルタ−挿入部にはＤカット部（光束に対して直線をなす部分）を設けており、そのＤカット部は凹凸形状であることを特徴とする請求項１記載のフィルターディスク。
【請求項３】
該フィルターディスクに設けた凹凸形状は不均一であることを特徴とする請求項１及び２記載のフィルターディスク。
【発明の詳細な説明】
【技術分野】
【０００１】
本発明はフィルターディスクに関する。
【背景技術】
【０００２】
従来より、カラーテレビカメラ等の撮影系において、撮影の際に用いる色温度変換フィルター等の各種フィルターを収納したフィルターディスクを１枚又は複数枚フィルターディスク装置内に設け、該枚フィルターディスク装置を撮影系の一部に配置している。そして、撮影条件に合ったフィルターをフィルターディスクより手動又は電動により適宜選択して撮影系に装着し、これにより撮影条件の適正化を計っている。
【０００３】
フィルターディスク装置に関しては、特許文献１のフィルターディスクを始めさまざまな方式の装置が提案されている。
【０００４】
図７〜９は従来のフィルターディスクを表す図面であり、７はフィルターディスクを保持する本体、８はつまみギア、９はアイドラギア，１０はフィルターディスク、１１ａ〜１１ｄは各種フィルター、１２はクリック板ばね、１３は回転コロ、１４は１３の回転ころを支持する軸であり、１２のクリック板ばねにカシメなどで固定しており、１３の回転ころはスムーズに回転するように１４の軸との間に適正なすきまを設けてある、このため１２・１３・１４は一つの部品としてユニット化されている。
【０００５】
同図において、８のつまみギアに固定されている不図示のつまみを手動又は電動により回転させると、９のアイドラギア、１０のフィルターディスクとギア伝達されてフィルターディスクが回転する。光軸Ｏに所望のフィルターがきた所で１０ａのフィルターディスク外周に設けたクリック溝に、フィルターディスクの外周を回転していた１３の回転コロが１２の板ばねの力で落ち込んで位置決めする。
【０００６】
上記従来例など一般的には、フィルターディスクの材質をエンジニアリングプラスチック材をモールド加工しており、また装置の小型化を計るためにフィルターの一部をカットしてD型形状にしている。
【０００７】
該フィルターディスクにおいて１１のフィルターを受けるための１０ｃはストレート形状になっており、撮影レンズから入ってきた有効光が端面に当たってから異常に光って有効光束内に入ってくる状態（ゴースト光）を防ぐためにガラスファイバーなどを混入させて、ざらざらしたマット面として反射を防いでいる。
【０００８】
また、ガラスファイバーなどを混入させない場合は、マスク部品を別に設けてゴースト光が有効範囲内に入らないような構造をとっている。
【特許文献１】特開平08-125927号公報
【発明の開示】
【発明が解決しようとする課題】
【０００９】
しかしながら、このガラスファイバーなどは、フィルターディスクの位置決めクリックの摺動耐久性に悪影響を与えるために、クリックのばね先端にはころがり摩擦を行うための回転ころを構成する必要があった。この回転ころを構成するためには支持する軸部品や、スムーズな回転を得るための高精度な寸法設定が必要となるため、部品点数が増大してコストアップの要因となっていた。
【００１０】
また、ガラスファイバーなどを混入させない場合は、マスク部品を別に設けている為、部品点数が増大してコストアップの要因となっていた。
【課題を解決するための手段】
【００１１】
上記目的を達成するため、本出願に係わる発明はフィルターディスクにおけるフィルターを受けるストレート面の形状を、平面ではなく均一あるいは不均一な凹凸形状とした。
【発明の効果】
【００１２】
以上説明したように、本出願に係わる発明によれば、フィルターディスクにおけるフィルターを受けるストレート面の形状を、凹凸形状にしたことにより、ゴースト光を防ぎながらかつ摩擦摺動に有害なガラスファイバーなどの添加剤を廃止することができるため、位置決めクリック機構には板ばねをそのまま構成して摩擦接触させることが可能となる。
【発明を実施するための最良の形態】
【００１３】
（第１の実施例）
図1〜４は本発明の特徴を最も表す図面であり、テレビカメラ等で使用される３ブロック型の色分解プリズムを構成したもので表している。同図において１は撮影レンズ、２はテレビカメラ、３はマウント、４はフィルターディスク部、５は色分解プリズム６a・６ｂ・６ｃはＣＣＤなどの撮像素子、７はフィルターディスクを保持する本体、８はつまみギア、９はアイドラギア，１０はフィルターディスク、１１ａ〜１１ｄは各種フィルター、１２はクリック板ばねである。
【００１４】
同図において、８のつまみギアに固定されている不図示のつまみを手動又は電動により回転させると、９のアイドラギア、１０のフィルターディスクとギア伝達されてフィルターディスクが回転する。光軸Ｏに所望のフィルターがきた所で１０ａのフィルターディスク外周に設けたクリック溝に１２のクリック板ばねが落ち込んで位置決めする。このとき１２のクリック板ばねは１０のフィルターディスク外周と摩擦摺動している。
【００１５】
上記構成において、図３及び図４に示すようにフィルターディスクの１０ｂ１を凹凸形状としている。また、当実施例では該凹凸は均一な形状とした。
【００１６】
（第２の実施例）
図５は第２の実施例を表す図面であり、図４の凹凸形状を左右方向で不均一寸法の形状とした以外は第１の実施例と同一である。凹凸形状は均一である場合、回折現象を生じる場合があるため、当実施例ではそれを防いでいる。
【００１７】
（第３の実施例）
図６は第３の実施例を表す図面であり、図４のギザギザ形状を上下方向で不均等寸法の形状とした以外は第２の実施例と同一である。
【００１８】
（その他の実施例）
第１の実施例では１枚構成のフィルターディスクについて説明したが、複数枚構成のフィルターディスクにも適用可能なことは言うまでもない。
【００１９】
これにより、従来はころがり接触のために回転ころ部品を必要としていたが不要となり、部品点数を削減することができるため、製造コストの低減を計ることができる。
【００２０】
また、制約条件が緩和されるため設計自由度が増えるという効果もある。
【図面の簡単な説明】
【００２１】
【図１】本発明の第１の実施例に係わる撮影装置を表す図である。
【図２】本発明の第１の実施例に係わるフィルターディスク部を表す図である。
【図３】本発明の第１の実施例に係わるフィルターディスク単体を表す図である。
【図４】本発明の第１の実施例に係わる図３のＺ部拡大図である。
【図５】本発明の第２の実施例に係わる図３のＺ部拡大図である。
【図６】本発明の第３の実施例に係わる図３のＺ部拡大図である。
【図７】従来例を説明する図である。
【図８】図７のＹ−Ｙ断面図である。
【図９】図７のＷ−Ｗ断面図である。
【符号の説明】
【００２２】
１  撮影レンズ
２  テレビカメラ
３  マウント
４  フィルターディスク部
５  色分解プリズム
６  ＣＣＤなどの撮像素子
７  本体
８  つまみギア
９  アイドラギア
１０  フィルターディスク
１１  各種フィルター
１２  板ばね
【図１】
2005173122.tif 000003
【図２】
2005173122.tif 000004
【図３】
2005173122.tif 000005
【図４】
2005173122.tif 000006
【図５】
2005173122.tif 000007
【図６】
2005173122.tif 000008
【図７】
2005173122.tif 000009
【図８】
2005173122.tif 000010
【図９】
2005173122.tif 000011